(57)【要約】      （修正有）【課題】豪雨等にあってもサイドポケットの内部にまで雨水が浸入するのを遅らせることが可能なモーターサイクル用バッグを提供する。【解決手段】外側フラップ２６を大きなワイド寸法にすることで、外側フラップを閉じた際にサイドポケット１４の開閉用ファスナー３４を被覆する。バッグ本体１２を左右に拡張した場合でも、拡張部分の開閉用ファスナー３４を外側フラップ２６で被覆し得るため、雨水がサイドポケットや拡張部の内部へ浸入するのを遅らせることができる。【選択図】図１
0003218379.tif 000002
【実用新案登録請求の範囲】
【請求項１】
横方向へ左右に拡張する拡張部(28)を備え、この拡張部(28)に本体拡張用ファスナー(30)が設けられているバッグ本体(12)と、
前記バッグ本体(12)に開設した開口部を開閉自在に塞ぐ内側フラップ(18)と、
前記バッグ本体(12)の左右側部に設けられ、上部に開閉用ファスナー(34)を備えるサイドポケット(14)と、
前記バッグ本体(12)に配設されて、前記内側フラップ(18)を上から開閉自在に覆う外側フラップ(26)とからなるモーターサイクル用バッグにおいて、
前記外側フラップ(26)は、前記内側フラップ(18)を上から覆った際に、前記本体拡張用ファスナー(30)およびサイドポケットの開閉用ファスナー(34)を上から覆い得る寸法に設定されている
ことを特徴とするモーターサイクル用バッグ。
【請求項２】
前記バッグ本体(12)を前記拡張部(28)で左右へ拡張した際に、前記外側フラップ(26)は前記本体拡張用ファスナー(30)も覆い得る寸法になっている請求項１記載のモーターサイクル用バッグ。
【請求項３】
前記バッグ本体(12)の左右横側に横側開閉用のファスナー(32)が設けられており、前記外側フラップ(26)が前記内側フラップ(18)を上から覆った際に、前記横側開閉用のファスナー(32)も覆い得る寸法になっている請求項１記載のモーターサイクル用バッグ。
【考案の詳細な説明】
【技術分野】
【０００１】
この考案はモーターサイクル用バッグに関するものであって、殊にモーターサイクルに装着されるシートバッグの開口部に設けたファスナーを覆うフラップの改良に関するものである。
【背景技術】
【０００２】
例えば、原付自転車やオートバイその他トライサイクル等(以下、モーターサイクルという)は、乗用者用のシートの後方に同乗者用シートや荷物用のキャリヤ(荷台)が設けられている。また、モーターサイクルによっては、シートとキャリヤとに分かれておらず、前方の運転者用のシートと後方の同乗者用のシートとからなるものもある。
【０００３】
モーターサイクルを走行させる際に、前記キャリヤや同乗者用のシートに大容量の所謂シートバッグを装着すると、大量の物品を携行できて便利である。一例として、図４および図５に示すように、旧来のシートバッグ１０(本明細書ではモーターサイクル用バッグとも称する)は、横長で箱状のバッグ本体１２と、該バッグ本体１２の左右の横側に適宜数設けた小物用のサイドポケット１４と、該バッグ本体１２の上部に全面的に開設した物品出し入れ用の開口部１６と、該開口部１６に隣接してバッグ本体１２に設けられ、この開口部１６を開閉可能に覆い得る蓋状フラップ１８とから基本的に構成されている。なお、前記蓋状フラップ１８は、後述する図３のシートバッグ１０や、図１で説明する本考案のシートバッグ１０との関係では、「内側フラップ１８」という。
【０００４】
図４に示すバッグ本体１２の開口内部には、各種用途に応じた仕分け用ポケット１５が設けられている。殊に、バッグ本体１２の左右横側に設けた前記サイドポケット１４は、走行時に被る砂塵や雨滴の浸入を極力防止するためファスナー１９で閉じるようにしてある。前記蓋状フラップ１８は、図４に示すように、該蓋状フラップ１８の周囲および前記バッグの開口部１６の周囲に設けたファスナー２０により、該開口部１６を開閉自在に閉じるようになっている。なお、シートバッグ１０には、使用者の携行に便利なように、ショルダーベルトを装着するリングや手持ち用のハンドル(何れも図示せず)が設けられている。更に、シートバッグ１０の仕様によっては、バッグ本体１２における左右横側のファスナーを開放することで全面的に開いて、内部への物品の収容・取り出しが便利なようにしたものもある。
【０００５】
図４および図５で説明したシートバッグ１０は、旧来の一例としてのバッグであるが、最近は走行先の多様化により携行物品が多くなっているので、バッグそのものが大型化し収納容量の増大が図られている。例えば、より大きな開口寸法を実現するために、バッグ本体１２の開口部１６は、該バッグ本体１２の上側だけでなく、左右の底面近くまで延在させたものが商品化されている。
【０００６】
また、蓋状フラップ１８により開口部１６を覆うだけでは防水的に充分ではないとして、図３に示す如く、防滴用の被せフラップ２６をバッグ本体１２に設けるタイプのシートバッグ１０も普及している。この被せフラップ２６は、バッグ本体１２の開口部１６を蓋状フラップ１８で閉じた上から、該被せフラップ２６で更に覆い被せることができ、雨中走行に際しバッグの内容物が濡れる恐れが比較的少なくなり好適である。
【０００７】
図３に示すシートバッグ１０において、バッグ本体１２の右側に２つのファスナー３０,３２が胴体周りに設けられている。そして内側に位置するファスナー３０は、バッグ本体１２を横方向へ拡張するためのもので、該ファスナー３０を全開することで蛇腹状の拡張部において横へ拡張することができる。また外側に位置するファスナー３２を全開すると、バッグ本体１２の横側面が大きく開放して、内容物の収容・取り出しが便利になる。なお、バッグ本体１２の左側の２つのファスナー３０,３２の用途も、前述したところと全く同じである。
【０００８】
更に、図３および図４において、バッグ本体１２の左右の側面には前記サイドポケット１４が設けられている。このサイドポケット１４の上部にも、内部の収納空間へ物品を出し入れできるようにファスナー３４が設けられている。
【０００９】
すなわち、例えば図３に示す従来のシートバッグ１０には、(１)バッグ本体１２を横方向へ拡張するための本体拡張用ファスナー３０と、(２)バッグ本体１２の左右横側を全開するための横側全開用ファスナー３２と、(３)サイドポケット１４の上部を開くための開閉用ファスナー３４とが存在する。但し、シートバッグの種類によっては、本体横側を全開するファスナーが設けてないものもある。また本明細書では、図１〜図３との関係において、前記蓋状フラップ１８を内側フラップ１８と称し、また前記被せフラップ２６を外側フラップ２６と称する。
【先行技術文献】
【特許文献】
【００１０】
【特許文献１】特開２０１６−１３２３３０号公報
【考案の概要】
【考案が解決しようとする課題】
【００１１】
モーターサイクルのキャリヤや同乗者用シートに前記シートバッグ１０を装着して、該モーターサイクルにより走行を楽しむに際し注意を要するのは、激しい雨の中を走行する場合である。例えば、モーターサイクルで高速道路を走行中に雨が降り出した場合に、その雨が余り激しくなければ、走行中であってもシートバッグ１０の内部へ雨水が直ぐに浸入したりすることはない。しかし、激しい雨に遭遇したような場合、直ちに雨宿りする個所があれば良いが、そのような個所がなかったり、パーキングエリア等まで走行せざるを得ないときは、豪雨により雨水が各種のファスナー越し(またはフラップ越し)に開口部１６へ浸入し、収納した内容物を濡らしたりすることがある。また、図３に示すように、近来のシートバッグ１０には前記外側フラップ２６が設けてあるから、この外側フラップ２６により内側フラップ１８のファスナー越しに雨水が浸入するのは、或る程度まで防げる。しかし、横付けのサイドポケット１４は、外側フラップ２６によっては被覆されない。このため、雨中走行時に雨がサイドポケット１４のファスナー３４から内部へ浸入する可能性が大きい。
【課題を解決するための手段】
【００１２】
前記課題を克服し、所期の目的を達成するため請求項１に記載の考案は、
横方向へ左右に拡張する拡張部を備え、この拡張部に本体拡張用ファスナーが設けられているバッグ本体と、
前記バッグ本体に開設した開口部を開閉自在に塞ぐ内側フラップと、
前記バッグ本体の左右側部に設けられ、上部に開閉用ファスナーを備えるサイドポケットと、
前記バッグ本体に配設されて、前記内側フラップを上から開閉自在に覆う外側フラップとからなるモーターサイクル用バッグにおいて、
前記外側フラップは、前記内側フラップを上から覆った際に、前記本体拡張用ファスナーおよびサイドポケットの開閉用ファスナーを上から覆い得る寸法に設定されていることを要旨とする。
請求項１に係る考案によれば、通常の使用状態において、外側フラップでバッグ本体の開口部(および内側フラップ)を被覆した際に、該外側フラップはバッグ本体の左右横側に設けたサイドポケットのファスナーも覆うので、激しい雨であっても雨水がサイドポケットに浸入するのを遅らせることができる。
【００１３】
請求項２に記載の考案では、前記バッグ本体を前記拡張部で左右へ拡張した際に、前記外側フラップは前記本体拡張用ファスナーも覆い得る寸法になっていることを要旨とする。
請求項２に係る考案によれば、シートバッグのバッグ本体を左右の横幅方向へ延伸させて拡張した場合であっても、外側フラップは拡張された部分を確実に覆うので、激しい雨であっても雨水がバッグの収納部分へ浸入するのを遅らせることができる。
【００１４】
請求項３に記載の考案では、前記バッグ本体の左右横側に横側開閉用のファスナーが設けられており、前記外側フラップが前記内側フラップを上から覆った際に、前記横側開閉用のファスナーも覆い得る寸法になっていることを要旨とする。
請求項３に係る考案によれば、バッグ本体の左右横側に開閉用のファスナーが設けてある場合は、外側フラップにより該ファスナーを上から覆うので、激しい雨であっても雨水が該ファスナー越しに内部へ浸入するのを遅らせることができる。
【考案の効果】
【００１５】
本考案によれば、外側フラップの寸法を充分に大きくして、該外側フラップで内側フラップを上から覆い被せた通常使用時に、バッグ本体のサイドポケットおよび開閉用のファスナーも同時に外側フラップにより上から覆い被せてしまうことができる。このため、豪雨等にあってもサイドポケットの内部にまで雨水が浸入するのを遅らせることが可能である。
【図面の簡単な説明】
【００１６】
【図１】本考案の実施例に係るシートバッグの斜視図であって、(ａ)は内側フラップの上から外側フラップで覆い被せるようにした状態を示し、(ｂ)は外側フラップを開いた状態を示している。
【図２】本考案の実施例に係るシートバッグにおける外側フラップの被さり状態を示す説明平面図であって、(ａ)はバッグ本体を外側フラップで覆うように被せた際に、サイドポケットも同時に覆い被さるようになっていることを示し、(ｂ)はバッグ本体を左右横方向へ拡張した際も、拡張されたバッグ本体は完全に外側フラップで被覆されることを示している。
【図３】図４に示すシートバッグを進歩させた在来のシートバッグの斜視図であって、(ａ)は内側フラップの上から外側フラップで覆い被せるようにした状態を示し、(ｂ)は外側フラップを開いた状態を示している。
【図４】従来技術に係る旧来のシートバッグの斜視図であって、蓋状フラップを開放した状態を示している。
【図５】図４に示すシートバッグの斜視図であって、蓋状フラップを閉じた状態を示している。
【考案を実施するための形態】
【００１７】
本考案の好適な実施例に係るモーターサイクル用バッグを図１に示す。なお、シートバッグ１０としての基本的な構成は、図４に示すシートバッグの構成に準じている。また、シートバッグ１０に外側フラップ２６を設けて、該外側フラップ２６により前記内側フラップ１８を覆い被せるようにした構成は、図３に示す近来のシートバッグの構成に準じている。
【００１８】
すなわち、図１に示す実施例のシートバッグ１０には、バッグ本体１２の左右側部にサイドポケット１４,１４が設けてある。また、バッグ本体１２の上方に開口する開口部は、内側フラップ１８により開閉自在に閉じられると共に、閉じた状態での該内側フラップ１８は前記外側フラップ２６により上から覆い被さった状態で閉じ得るようになっている。更に、前記バッグ本体１２における左右の胴回りには、例えば蛇腹(ベロー)状の拡張部２８が形成されており、通常は図２(ａ)に示す使用状態になっている。しかし、前記開口部１６の収容寸法を大きくしたい場合は、バッグ本体１２を左右に引っ張ることで、前記拡張部２８が伸びて延伸し、図２(ｂ)に示す拡張状態になし得るようになっている。
【００１９】
本考案の実施例に係るシートバッグ１０は、前記外側フラップ２６が従来のものよりも充分に大きい寸法のワイドフラップになっている。従って、図２(ａ)に示すように、バッグ本体１２を左右へ拡張しない通常の使用時には、外側フラップ２６は、閉じた状態にある内側フラップ１８の上から覆い被せることができる。このとき、外側フラップ２６はワイド寸法になっているから、該外側フラップ２６はバッグ本体１２の左右に設けた前記サイドポケット１４,１４および開閉用のファスナー３４もそっくり上から覆い被せることができる。従って、例えば豪雨の中をモーターサイクルで走行しても、激しい雨がサイドポケット１４,１４のファスナー３４越しに浸入することを遅らせることが可能である。
【００２０】
また、前述した本体拡張用ファスナー３０を開いて、バッグ本体１２を左右の横幅方向へ延伸させることで拡張し、開口部の内部容積を大きくした場合は、図２(ｂ)に示すように、前記外側フラップ２６は開口部１６を閉じている内側フラップ１８の上に確実に覆い被さっている。従って、激しい雨に遭遇しても、雨水が前記ファスナー３０越しに内部に浸入するのを遅らせることができる。
【符号の説明】
【００２１】
１２  バッグ本体，１４  サイドポケット，１８  内側フラップ、蓋状フラップ，
２６  外側フラップ、被せフラップ，２８  拡張部，
３０  本体拡張用ファスナー、ファスナー，
３２  ファスナー、横側全開用ファスナー，
３４  開閉用ファスナー、ファスナー
【図１】
0003218379.tif 000003
【図２】
0003218379.tif 000004
【図３】
0003218379.tif 000005
【図４】
0003218379.tif 000006
【図５】
0003218379.tif 000007